(57)【要約】【課題】穀粒、特に、白米の表面に糠が付着することを防止できる揚穀機を得る。【解決手段】本揚穀機１０では、無端ベルト３０が揚穀塔１２内で周回（矢印Ｂ方向に回転）すると、揚穀塔１２内の下部に供給された白米Ｈがバケット３２によって掬われて揚穀塔１２内の上部へ持上げ搬送される。この持上げ搬送された白米Ｈは、バケット３２が揚穀塔１２内の上部で反転する際に遠心力を与えられて、放出筒部３４へと投げ出される。ここで、持上げ搬送側のバケット３２に白米Ｈが溜まっていない場合に、揚穀機１０が無端ベルト３０及びバケット３２を周回させながら第１ノズル３６及び第２ノズル４４で各バケット３２内へ順次噴風する。これにより、各バケット３２内の糠が吹き飛ばされる。従って、その後において白米Ｈをバケット３２によって持上げ搬送しても白米Ｈの表面に糠が付着することがない。従って、白米Ｈの表面に糠が付着することを防止できる。【選択図】図１
2007117941.tif 000002
【特許請求の範囲】
【請求項１】
箱状に形成された揚穀塔と、
前記揚穀塔内に設けられ、前記揚穀塔内の下部と上部との間を周回する無端ベルトと、
前記無端ベルトの外周側に設けられ、前記無端ベルトと一体に前記揚穀塔内の下部と上部との間を周回することで、前記揚穀塔内の下部に供給された穀粒を掬って前記上部へ持上げ搬送し前記揚穀塔外へ投げ出すバケットと、
前記揚穀塔に設けられ、前記持上げ搬送側の前記バケット内に噴風する第１ノズルと、
前記揚穀塔の上部に形成された第１開口と、
を備えた揚穀機。
【請求項２】
前記第１ノズルは、前記持上げ搬送側の前記バケットの外面底部にも噴風する、
ことを特徴とする請求項１記載の揚穀機。
【請求項３】
箱状に形成された揚穀塔と、
前記揚穀塔内に設けられ、前記揚穀塔内の下部と上部との間を周回する無端ベルトと、
前記無端ベルトの外周側に設けられ、前記無端ベルトと一体に前記揚穀塔内の下部と上部との間を周回することで、前記揚穀塔内の下部に供給された穀粒を掬って前記上部へ持上げ搬送し前記揚穀塔外へ投げ出すバケットと、
前記揚穀塔に設けられ、反持上げ搬送側の前記バケット内に噴風する第２ノズルと、
前記揚穀塔の下部に形成された第２開口と、
を備えた揚穀機。
【請求項４】
前記第２ノズルは、前記反持上げ搬送側の前記バケットの外面底部にも噴風する、
ことを特徴とする請求項３記載の揚穀機。
【発明の詳細な説明】
【技術分野】
【０００１】
本発明は、米、麦、豆等の穀粒、特に、白米を持上げ搬送する揚穀機に関する。
【背景技術】
【０００２】
一般に、揚穀機は、箱状に形成された揚穀塔を備えている。揚穀塔内には、無端ベルトが設けられており、無端ベルトは、揚穀塔内の下部と上部との間を周回できるようになっている。さらに、無端ベルトの外周面にはバケットが設けられており、バケットは、無端ベルトと一体に揚穀塔内の下部と上部との間を周回する。これにより、バケットによって、揚穀塔内の下部に供給された穀粒が掬われて持上げ搬送される。そして、バケットによって持上げ搬送された穀粒は、揚穀塔内の上部でバケットが反転する際に遠心力を与えられて、揚穀塔外へ投げ出される。
【０００３】
ところで、白米に糠が付着している場合、長い日数の間にはこの付着した糠が酸化してしまい、この結果、白米が不味くなる。
【０００４】
ここで、糠除去装置が適用された揚穀機が提案されており、その一例が下記特許文献１に開示されている。特許文献１に開示されている揚穀機は、無端ベルト付近に設けられた吹出口から空気を吹き出させて、無端ベルトの脇から揚穀塔の内壁へと空気を流動させており、これにより、揚穀塔の内壁に付着する糠を除去している。
【０００５】
しかしながら、このような揚穀塔は、バケット内で空気を流動させるようにはなっていないため、バケット内に糠が付着したり溜まったりした場合には、バケット内の糠を除去することができない。この結果、この糠をそのまま放置しておくと、白米を繰り返し持上げ搬送しているうちに多量の糠がバケット内に固くこびり付いてしまう。またこのように、糠が付着したり溜まったりしたバケットで白米を持上げ搬送すると、白米の表面に糠が付着してしまう。このため、例えば、白米を扱う精米機、研米機、及び無洗米機等では、白米の表面に糠が付着しないようにできる揚穀機が望まれていた。
【特許文献１】実開昭６３−２０１６３５号公報
【発明の開示】
【発明が解決しようとする課題】
【０００６】
本発明は、上記問題点に鑑み、穀粒、特に、白米の表面に糠が付着することを防止できる揚穀機を得ることを目的とする。
【０００７】
なお、ここでいう「糠」とは、白米や玄米の所謂「糠」のみならず、麦の麩や豆の薄皮等を含む（以下同じ）。
【課題を解決するための手段】
【０００８】
請求項１に記載の発明に係る揚穀機は、箱状に形成された揚穀塔と、前記揚穀塔内に設けられ、前記揚穀塔内の下部と上部との間を周回する無端ベルトと、前記無端ベルトの外周側に設けられ、前記無端ベルトと一体に前記揚穀塔内の下部と上部との間を周回することで、前記揚穀塔内の下部に供給された穀粒を掬って前記上部へ持上げ搬送し前記揚穀塔外へ投げ出すバケットと、前記揚穀塔に設けられ、前記持上げ搬送側の前記バケット内に噴風する第１ノズルと、前記揚穀塔の上部に形成された第１開口と、を備えている。
【０００９】
請求項１に記載の発明に係る揚穀機では、無端ベルトが揚穀塔内の下部と上部との間を周回すると、揚穀塔内の下部に供給された穀粒がバケットによって掬われて上部へ持上げ搬送される。揚穀塔内の上部へ持上げ搬送された穀粒は、バケットが揚穀塔内の上部で反転する際に遠心力を与えられて、揚穀塔外へ投げ出される。
【００１０】
ここで、請求項１記載の揚穀機では、揚穀塔に第１ノズルが設けられており、本揚穀機は、無端ベルトの駆動時で持上げ搬送側のバケット内に穀粒が溜められていないとき（例えば、穀粒の搬送完了時等）に、第１ノズルで持上げ搬送側のバケット内へ噴風する。これにより、バケット内に糠が付着したり溜まったりしていた場合には、バケット内の糠が吹き飛ばされる。従って、バケット内は、糠が付着した状態や溜まった状態のままにはならず、これにより、その後において穀粒をバケットによって持上げ搬送しても穀粒の表面に糠が付着することはない。
【００１１】
次いで、持上げ搬送側のバケット内から吹き飛ばされた糠は、バケットの周回（持上げ搬送方向の移動）によって生じる上昇気流と共に、揚穀塔の上部に形成された第１開口から排出される。
【００１２】
以上説明したように、請求項１記載の揚穀機は、穀粒の表面に糠が付着することを防止できる。
【００１３】
請求項２に記載の発明に係る揚穀機は、請求項１記載の発明において、前記第１ノズルは、前記持上げ搬送側の前記バケットの外面底部にも噴風する、ことを特徴とする。
【００１４】
請求項２に記載の発明に係る揚穀機によれば、第１ノズルで持上げ搬送側のバケットの外面底部にも噴風する。このため、例えば、バケットの外面底部と無端ベルトとの間に糠が付着していた場合には、この糠が吹き飛ばされる。従って、例えば、バケットの外面底部から直下のバケット（持上げ搬送方向における後段のバケット）内に糠が落下して当該直下のバケット内に糠が付着したり溜まったりすることを防止できる。これにより、その後において穀粒をバケットによって持上げ搬送しても穀粒の表面に糠が付着することはなく、穀粒の表面に糠が付着することを一層防止できる。
【００１５】
請求項３に記載の発明に係る揚穀機は、箱状に形成された揚穀塔と、前記揚穀塔内に設けられ、前記揚穀塔内の下部と上部との間を周回する無端ベルトと、前記無端ベルトの外周側に設けられ、前記無端ベルトと一体に前記揚穀塔内の下部と上部との間を周回することで、前記揚穀塔内の下部に供給された穀粒を掬って前記上部へ持上げ搬送し前記揚穀塔外へ投げ出すバケットと、前記揚穀塔に設けられ、反持上げ搬送側の前記バケット内に噴風する第２ノズルと、前記揚穀塔の下部に形成された第２開口と、を備えている。
【００１６】
請求項３に記載の発明に係る揚穀機では、無端ベルトが揚穀塔内の下部と上部との間を周回すると、揚穀塔内の下部に供給された穀粒がバケットによって掬われて上部へ持上げ搬送される。揚穀塔内の上部へ持上げ搬送された穀粒は、バケットが揚穀塔内の上部で反転する際に遠心力を与えられて、揚穀塔外へ投げ出される。
【００１７】
ここで、請求項３記載の揚穀機では、揚穀塔に第２ノズルが設けられており、本揚穀機は、無端ベルトの駆動時に第２ノズルで反持上げ搬送側のバケット内（当然ながら、反持上げ搬送側のバケット内は、穀粒が溜められていない状態である）へ噴風する。これにより、バケット内に糠が付着したり溜まったりしていた場合には、バケット内の糠が吹き飛ばされる。従って、バケット内は、糠が付着した状態や溜まった状態のままにはならず、これにより、その後において穀粒をバケットによって持上げ搬送しても穀粒の表面に糠が付着することはない。
【００１８】
次いで、反持上げ搬送側のバケット内から吹き飛ばされた糠は、バケットの周回（反持上げ搬送方向の移動）によって生じる下降気流と共に、揚穀塔の下部に形成された第２開口から排出される。
【００１９】
以上説明したように、請求項３記載の揚穀機は、穀粒の表面に糠が付着することを防止できる。
【００２０】
請求項４に記載の発明に係る揚穀機は、請求項３記載の発明において、前記第２ノズルは、前記反持上げ搬送側の前記バケットの外面底部にも噴風する、ことを特徴とする。
【００２１】
請求項４に記載の発明に係る揚穀機によれば、第２ノズルで反持上げ搬送側のバケットの外面底部にも噴風する。このため、例えば、バケットの外面底部と無端ベルトとの間に糠が付着していた場合には、この糠が吹き飛ばされる。従って、例えば、バケットが周回して持上げ搬送方向に移動するようになっても、バケットの外面底部から直下のバケット（持上げ搬送方向における後段のバケット）内に糠が落下して当該直下のバケット内に糠が付着したり溜まったりすることを防止できる。これにより、その後において穀粒をバケットによって持上げ搬送しても穀粒の表面に糠が付着することはなく、穀粒の表面に糠が付着することを一層防止できる。
【発明の効果】
【００２２】
本発明に係る揚穀機は、穀粒の表面に糠が付着することを防止できるという優れた効果を有している。
【発明を実施するための最良の形態】
【００２３】
図１には、本発明の実施の形態に係る白米搬送用の揚穀機１０の主要部が概略的な縦断面図にて示されている。
【００２４】
揚穀機１０は、箱状に形成された揚穀塔１２を備えている。揚穀塔１２は、互いに対向する第１側壁１４と第２側壁１６とを有している。このような揚穀塔１２内には、バケットコンベア１８が設けられており、バケットコンベア１８は、揚穀塔１２内の下部に配置された下プーリとしての下平プーリ２０を備えている。下平プーリ２０は、軸心部に設けられた支軸を介して揚穀塔１２に回転自在に軸支されている。
【００２５】
また、バケットコンベア１８は、揚穀塔１２内の上部に配置された上プーリとしての上平プーリ２２を備えている。上平プーリ２２は、揚穀塔１２の第２側壁１６上部に設けられた投出口２４に対向して配置されており、軸心部に設けられた支軸を介して揚穀塔１２に回転自在に軸支されている。
【００２６】
また、揚穀塔１２の第１側壁１４の外側部分には、モータ２６が取り付けられており、このモータ２６の出力軸は無端状の駆動ベルト２８を介して上平プーリ２２の軸心部に巻き掛けられている。従って、この上平プーリ２２は、モータ２６の駆動力により矢印Ａ方向へ回転するようになっている。
【００２７】
また、上述の上平プーリ２２及び下平プーリ２０には、無端ベルト３０が巻き掛けられている。この無端ベルト３０は、上平プーリ２２が矢印Ａ方向へ回転すると、揚穀塔１２内の下部と上部との間を周回（矢印Ｂ方向へ回転）する。
【００２８】
また、無端ベルト３０の外周側には、複数の白米搬送用のバケット３２が一定間隔で設けられている。これらのバケット３２は、無端ベルト３０と一体に揚穀塔１２内の下部と上部との間を周回（矢印Ｂ方向へ回転）する。
【００２９】
ここで、上記構成の揚穀機１０では、無端ベルト３０が揚穀塔１２内の下部と上部との間を周回すると、供給ホッパ３３から揚穀塔１２内の下端部に供給されて堆積した白米Ｈがバケット３２により掬われて第１側壁１４側で揚穀塔１２内の上部まで持上げ搬送される。そして、持上げ搬送側（第１側壁１４側）のバケット３２は、上平プーリ２２の外周に沿って反転する際に、持上げ搬送された白米Ｈに遠心力を与えて、この白米Ｈを揚穀塔１２の投出口２４を介して揚穀塔１２外へと投げ出す。
【００３０】
また、揚穀塔１２の投出口２４の外側部分には、概して漏斗状の放出筒部３４が取り付けられている。放出筒部３４は、揚穀塔１２内の上部で投出口２４を介して投げ出された白米Ｈを集積して、外部に放出する。
【００３１】
また、揚穀塔１２の第１側壁１４には、第１ノズル３６が設けられている。第１ノズル３６は第１側壁１４を貫通して先端部が揚穀塔１２内に露出している。この第１ノズル３６の先端部には、図示しない２つの噴射孔が設けられている。そして、第１ノズル３６には図示しないコンプレッサが連結されており、このコンプレッサが作動することで、第１ノズル３６は、その左下方向（図１参照）に位置する持上げ搬送側のバケット３２内に一方の噴射孔から噴風する（矢印Ｃ参照）。このとき、第１ノズル３６は、上記左下方向に位置する持上げ搬送側のバケット３２の前段のバケット３２（図１において、第１ノズル３６の左上方向に位置する持上げ搬送側のバケット３２）の外面底部にも他方の噴射孔から噴風する（矢印Ｄ参照）。
【００３２】
さらに、揚穀塔１２の上部では、その天壁３８の持上げ搬送側部分に第１開口としての第１吸引排塵口４０が形成されている。この第１吸引排塵口４０には、揚穀塔１２の外側で第１吸引装置４２が連結されており、第１吸引装置４２は、第１ノズル３６で上記の如く持上げ搬送側のバケット３２に噴風している時に駆動して揚穀塔１２内の空気（後述する如く持上げ搬送側のバケット３２から吹き飛ばされた糠を含む）を吸引できるようになっている。
【００３３】
一方、揚穀塔１２の反持上げ搬送側の第２側壁１６には、第２ノズル４４が設けられている。第２ノズル４４は第２側壁１６を貫通して先端部が揚穀塔１２内に露出している。この第２ノズル４４の先端部には、図示しない２つの噴射孔が設けられている。そして、第２ノズル４４には図示しない前記コンプレッサが連結されており、このコンプレッサが作動することで、第２ノズル４４は、その右上方向に位置する反持上げ搬送側のバケット３２内に一方の噴射孔から噴風する（矢印Ｅ参照）。このとき、第２ノズル４４は、上記右上方向に位置する反持上げ搬送側のバケット３２の前段のバケット３２（図１において、第２ノズル４４の右下方向に位置する反持上げ搬送側のバケット３２）の外面底部にも他方の噴射孔から噴風する（矢印Ｆ参照）。
【００３４】
さらに、揚穀塔１２の下部では、反持上げ搬送側の第２側壁１６に第２開口としての第２吸引排塵口４６が形成されている。この第２吸引排塵口４６には、揚穀塔１２の外側で第２吸引装置４８が連結されており、第２吸引装置４８は、第２ノズル４４で上記の如く反持上げ搬送側のバケット３２に噴風している時に駆動して揚穀塔１２内の空気（後述する如くバケット３２から吹き飛ばされた糠を含む）を吸引できるようになっている。
【００３５】
次に、本実施の形態の作用を説明する。
【００３６】
揚穀機１０では、モータ２６の駆動力によって無端ベルト３０が揚穀塔１２内の下部と上部との間を周回（矢印Ｂ方向へ回転）すると、揚穀塔１２内の下部に供給されて堆積した白米Ｈがバケット３２によって掬われて揚穀塔１２内の上部へ持上げ搬送される。揚穀塔１２内の上部へ持上げ搬送された白米Ｈは、バケット３２が揚穀塔１２内の上部で上平プーリ２２の外周に沿って反転する際に遠心力を与えられて、揚穀塔１２の投出口２４を介して放出筒部３４（揚穀塔１２外）へ投げ出される。
【００３７】
ここで、持上げ搬送側のバケット３２内に白米Ｈが溜められていないとき（例えば、白米Ｈの搬送完了時等）に、揚穀機１０が無端ベルト３０及びバケット３２を周回させながら図示しないコンプレッサを作動させることで、第１ノズル３６で持上げ搬送側の各バケット３２内へ順次噴風する（矢印Ｃ参照）。これにより、バケット３２内に糠が付着したり溜まったりしていた場合には、バケット３２内の糠が吹き飛ばされる。従って、バケット３２内は、糠が付着した状態や溜まった状態のままにはならず、これにより、その後において白米Ｈをバケット３２によって持上げ搬送しても白米Ｈの表面に糠が付着することはない。
【００３８】
またこのとき、揚穀機１０は、内部を噴風された持上げ搬送側のバケット３２の前段のバケット３２の外面底部にも第１ノズル３６で噴風する（矢印Ｄ参照）。このため、例えば、バケット３２の外面底部と無端ベルト３０との間に糠が付着していた場合には、この糠が吹き飛ばされる。従って、例えば、バケット３２の外面底部から直下のバケット３２（持上げ搬送方向における後段のバケット３２）内に糠が落下して当該直下のバケット３２内に糠が付着したり溜まったりすることを防止できる。これにより、その後において白米Ｈをバケット３２によって持上げ搬送しても白米Ｈの表面に糠が付着することはなく、白米Ｈの表面に糠が付着することを一層防止できる。
【００３９】
次いで、持上げ搬送側のバケット３２から吹き飛ばされた糠は、バケット３２の周回（ここでは、持上げ搬送方向の移動）によって生じる上昇気流と共に、揚穀塔１２の上部に形成された第１吸引排塵口４０から排出される。
【００４０】
一方、反持上げ搬送側のバケット３２内に白米Ｈが溜められていない状態（当然ながら、例えば、白米Ｈの持上げ搬送中又は白米Ｈの搬送完了時等の状態）で、揚穀機１０が無端ベルト３０及びバケット３２を周回させながら図示しないコンプレッサを作動させることで、第２ノズル４４で反持上げ搬送側の各バケット３２内へ順次噴風する（矢印Ｅ参照）。これにより、バケット３２内に糠が付着したり溜まったりしていた場合には、バケット３２内の糠が吹き飛ばされる。従って、バケット３２内は、糠が付着した状態や溜まった状態のままにはならず、これにより、その後において白米Ｈをバケット３２によって持上げ搬送しても白米Ｈの表面に糠が付着することはない。
【００４１】
またこのとき、揚穀機１０は、内部を噴風された反持上げ搬送側のバケット３２の前段のバケット３２の外面底部にも第２ノズル４４で噴風する（矢印Ｆ参照）。このため、例えば、バケット３２の外面底部と無端ベルト３０との間に糠が付着していた場合には、この糠が吹き飛ばされる。従って、例えば、バケット３２が周回して持上げ搬送方向に移動するようになっても、バケット３２の外面底部から直下のバケット３２（持上げ搬送方向における後段のバケット３２）内に糠が落下して当該直下のバケット３２内に糠が付着したり溜まったりすることを防止できる。これにより、その後において白米Ｈをバケット３２によって持上げ搬送しても白米Ｈの表面に糠が付着することはなく、白米Ｈの表面に糠が付着することを一層防止できる。
【００４２】
次いで、反持上げ搬送側のバケット３２から吹き飛ばされた糠は、バケット３２の周回（ここでは、反持上げ搬送方向の移動）によって生じる下降気流と共に、揚穀塔１２の下部に形成された第２吸引排塵口４６から排出される。
【００４３】
以上説明したように、揚穀機１０は、白米Ｈの表面に糠が付着することを防止できる。
【００４４】
また、揚穀機１０は、第１ノズル３６及び第２ノズル４４で前述の如く周回するバケット３２に噴風する構成であるため、揚穀塔１２内では、気流が分散される。従って、バケット３２の内外面だけでなく、揚穀塔１２の内壁に付着した糠も清掃できる。
【図面の簡単な説明】
【００４５】
【図１】本発明の実施の形態に係る揚穀機の主要部を概略的に示す縦断面図である。
【符号の説明】
【００４６】
１０    揚穀機
１２    揚穀塔
３０    無端ベルト
３２    バケット
３６    第１ノズル
４０    第１吸引排塵口（第１開口）
４４    第２ノズル
４６    第２吸引排塵口（第２開口）
Ｈ      白米
【図１】
2007117941.tif 000003